(57)【要約】【課題】表示輝度特性に関して個体差の少ない安定した品質の表示装置を製品出荷できる表示装置の製造方法、表示装置の製造装置および平面表示装置を提供する。【解決手段】電源制御部６は、個体データ設定処理装置２０により設定されるパネル個体データを保持する電源制御レジスタ６ａを有し、電源制御レジスタ６ａに保持したパネル個体データの値にもとづいてＹドライバ３に供給する走査用駆動電圧（ＶＤｙ）の値を決める。【選択図】      図１
2006084566.tif 000002
【特許請求の範囲】
【請求項１】
複数の蛍光体層と前記複数の蛍光体層に対応した複数の電子放出素子とにより形成される複数の表示画素をマトリクス状に配置した表示パネルと、前記表示パネルに配置された複数の表示画素を走査線と信号線の駆動電圧により駆動する駆動手段と具備する表示装置の製造方法に於いて、
前記表示装置に、前記駆動手段が前記走査線に出力する駆動電圧を外部より設定可能な設定手段を設け、
前記表示装置各々に対して、表示輝度特性の個体差を減少させるように前記設定手段により前記走査線に出力する駆動電圧の設定を行うことを特徴とする表示装置の製造方法。
【請求項２】
前記設定は、前記表示装置毎に前記表示パネルの輝度特性を計測し、当該計測値をもとに対応する表示装置の前記走査線に出力する駆動電圧を設定する処理手段により行われる請求項１記載の表示装置の製造方法。
【請求項３】
前記処理手段は、前記信号線に出力する駆動電圧がゼロ電位若しくは所定の低電位状態下に於いて前記表示パネルの輝度特性を計測する請求項２記載の表示装置の製造方法。
【請求項４】
前記処理手段は、前記表示パネルの全画素の表示輝度値を計測し、その平均値をもとに、対応する表示装置に設けられた前記電子放出素子の平均カットオフ電圧に従う駆動電圧を設定する請求項３記載の表示装置の製造方法。
【請求項５】
前記処理手段は、前記表示パネルの一部領域の画素の表示輝度値を計測し、その平均値をもとに、対応する表示装置に設けられた前記電子放出素子の平均カットオフ電圧に従う駆動電圧を設定する請求項３記載の表示装置の製造方法。
【請求項６】
前記処理手段は前記駆動電圧を検査者が目視検査により調整若しくは設定できる設定操作手段を具備する請求項２記載の表示装置の製造方法。
【請求項７】
複数の蛍光体層と前記複数の蛍光体層に対応した複数の電子放出素子とにより形成される複数の表示画素をマトリクス状に配置した表示パネルと、前記表示パネルに配置された複数の表示画素を走査線と信号線の駆動電圧により駆動する駆動手段と具備する表示装置の製造装置に於いて、
前記表示装置に設けられた表示パネルの表示輝度特性の個体差を減少させるように、前記表示装置毎に、前記駆動手段が出力する前記走査線の駆動電圧を設定する設定手段を具備したことを特徴とする表示装置の製造装置。
【請求項８】
前記設定手段は、前記表示装置毎に前記表示パネルの輝度特性を計測し、当該計測値をもとに対応する表示装置の前記走査線に出力する駆動電圧を設定する処理手段を具備する請求項７記載の表示装置の製造装置。
【請求項９】
前記処理手段は、前記信号線に出力する駆動電圧がゼロ電位若しくは所定の低電位状態下に於いて前記表示パネルの輝度特性を計測する手段を具備する請求項８記載の表示装置の製造装置。
【請求項１０】
前記処理手段は、前記表示パネルの全画素の表示輝度値を計測し、その平均値をもとに、対応する表示装置に設けられた前記電子放出素子の平均カットオフ電圧に従う駆動電圧を設定する手段を具備する請求項９記載の表示装置の製造装置。
【請求項１１】
前記処理手段は、前記表示パネルの一部領域の画素の表示輝度値を計測し、その平均値をもとに、対応する表示装置に設けられた前記電子放出素子の平均カットオフ電圧に従う駆動電圧を設定する手段を具備する請求項９記載の表示装置の製造装置。
【請求項１２】
複数の蛍光体層と前記複数の蛍光体層に対応した複数の電子放出素子とにより形成される複数の表示画素をマトリクス状に配置した表示パネルと、
前記表示パネルに配置された複数の表示画素を走査線と信号線の駆動電圧により駆動する駆動手段と、
前記表示パネルの輝度特性に従う設定情報を有し、当該設定情報をもとに前記駆動手段が前記走査線に出力する駆動電圧を制御するパネル管理手段と
を具備したことを特徴とする平面表示装置。
【請求項１３】
前記パネル管理手段は、前記設定情報をもとに、前記信号線に出力される駆動信号が所定の階調表示状態にあるとき前記表示パネルの表示輝度が予め定めた輝度値になるように前記走査線に出力される駆動電圧を制御し、前記駆動手段は前記駆動電圧をもとに前記走査線を線順次で走査する請求項１２記載の平面表示装置。
【請求項１４】
前記パネル管理手段は、前記設定情報をもとに、前記信号線がゼロ電位にあるとき前記表示パネルの表示輝度が一定の黒レベルになるように前記走査線に出力する駆動電圧を制御する請求項１３記載の平面表示装置。
【請求項１５】
前記パネル管理手段は、前記表示パネルを所定電位の前記駆動信号で駆動したときの前記表示パネルの表示輝度に従う前記表示パネルに固有のパネル固体情報を前記設定情報として保持する保持手段を有して、当該保持手段に保持した設定情報をもとに前記駆動部が前記走査線に出力する駆動電圧を制御する請求項１２乃至１４のいずれか１項に記載の平面表示装置。
【請求項１６】
前記設定情報は、外部の装置により計測された、前記表示パネルを所定の前記駆動信号で駆動したときの前記表示パネルの全画素の表示輝度値をもとに生成した前記電子放出素子の平均カットオフ電圧に従う前記表示パネルの個体情報である請求項１２乃至１５のいずれか１項に記載の平面表示装置。
【請求項１７】
前記設定情報は、外部の装置により計測された、前記表示パネルを所定電位の前記駆動信号で駆動したときの前記表示パネルの一部表示領域の画素の表示輝度値をもとに生成した前記電子放出素子の平均カットオフ電圧に従う前記表示パネルの個体情報である請求項１２乃至１５のいずれか１項に記載の平面表示装置。
【発明の詳細な説明】
【技術分野】
【０００１】
本発明は、複数の蛍光体層と前記複数の蛍光体層に対応した複数の電子放出素子とにより形成される複数の表示画素をマトリクス状に配置した表示パネルを備えた表示装置の製造方法、表示装置の製造装置および平面表示装置に関する。
【背景技術】
【０００２】
近年、偏平な平面パネル構造の画像表示装置として、液晶ディスプレイ（ＬＣＤ）、プラズマディスプレイ（ＰＤＰ）、フィールドエミッションディスプレイ（ＦＥＤ）等が知られている。また、ＦＥＤの一種として、表面伝導型の電子放出素子を備えたＳＥＤ（Surface-conduction Electron-emitter Display）の開発が進められている。
【０００３】
ＳＥＤは、所定の隙間を置いて対向配置された前面基板および背面基板を有する。これらの基板は、矩形枠状の側壁を介して周縁部を互いに接合され、内部を真空にされて偏平な平面パネル構造の真空外囲器を構成している。前面基板の内面には３色（Ｒ，Ｇ，Ｂ）の蛍光体層を有する蛍光体スクリーンが設けられ、背面基板の内面には、蛍光体層を励起発光させる電子の放出源として、画素毎に対応する多数の電子放出素子が整列配置されている。また、背面基板の内面上には、電子放出素子を駆動するための多数本の配線がマトリックス状に設けられ、その端部は真空外囲器の外部に引き出されている。
【０００４】
このＳＥＤを動作させる場合は、基板間に１０［ｋＶ］程度の高電圧（アノード電圧）を与え、配線に接続した駆動回路を介して各電子放出素子に選択的に駆動電圧を印加することにより、各電子放出素子から選択的に電子ビームが放出され、これら電子ビームが対応する蛍光体層に照射され、蛍光体層が励起発光されてカラー画像が表示されるようになっている。上記ＳＥＤの表示パネルにマトリクス状に配列された各電子放出素子は駆動回路により表示駆動される。この駆動回路は、複数の走査線の一端に接続される走査線ドライバ（Ｙドライバ）と、複数の信号線の一端に接続される信号線ドライバ（Ｘドライバ）を含む。Ｙドライバは走査信号を用いて複数の走査線を順次駆動し、Ｘドライバは各走査線が駆動される間に映像信号に応じてパルス変調された駆動信号を用いて複数の信号線を駆動する。各表示画素は上記走査線上の走査信号と上記信号線上の映像信号に応じてパルス幅変調された駆動信号とに対応した輝度で発光する。
【特許文献１】特開２００２−２２１９３３号公報
【発明の開示】
【発明が解決しようとする課題】
【０００５】
上記したＳＥＤ等の電子放出素子をマトリクス配置した表示装置に於いては、陰極（カソード）側で発生した電子を陽極（アノード）側の蛍光面に射突させて蛍光面を発光させ表示画面を作り出すデバイス構造であり、陰極側の電子源となる電子放出素子が発生する電子の量（電流）のばらつきにより対応画素の明るさが変わる。
【０００６】
この表示パネルにマトリクス配置した電子放出素子の素子特性のばらつきは、上記した製造プロセスに於ける基板（アノード側となる前面基板およびカソード側となる背面基板）のベーキング処理ならびに基板接合処理を含む熱処理工程等に於ける、加熱／冷却室の加熱／冷却温度ならびにその温度分布、加熱／冷却速度等、製造ライン上の各種条件ならびに環境に負うところが大きい。このため、上記製造プロセスを経た表示パネルは表示輝度特性に於いて個体差が生じる。従来ではこのような表示パネル毎の素子特性のばらつきに伴う表示輝度特性のばらつきに関して特に処置を施していなかった。
【０００７】
本発明の目的は、表示輝度特性に関して個体差の少ない安定した品質の表示装置を製品出荷できる表示装置の製造方法、表示装置の製造装置および平面表示装置を提供することにある。
【課題を解決するための手段】
【０００８】
本発明によれば、複数の蛍光体層と前記複数の蛍光体層に対応した複数の電子放出素子とにより形成される複数の表示画素をマトリクス状に配置した表示パネルと、前記表示パネルに配置された複数の表示画素を走査線と信号線の駆動電圧により駆動する駆動手段と具備する表示装置の製造方法に於いて、前記表示装置に、前記駆動手段が前記走査線に出力する駆動電圧を外部より設定可能な設定手段を設け、前記表示装置各々に対して、表示輝度特性の個体差を減少させるように前記設定手段により前記走査線に出力する駆動電圧の設定を行うことを特徴とする表示装置の製造方法が提供される。  
また前記表示装置の製造方法に於いて、前記設定は、前記表示装置毎に前記表示パネルの輝度特性を計測し、当該計測値をもとに対応する表示装置の前記走査線に出力する駆動電圧を設定する処理手段により行われる表示装置の製造方法が提供される。  
また前記表示装置の製造方法に於いて、前記処理手段は、前記信号線に出力する駆動電圧がゼロ電位若しくは所定の低電位状態下に於いて前記表示パネルの輝度特性を計測する表示装置の製造方法が提供される。  
また前記表示装置の製造方法に於いて、前記処理手段は、前記表示パネルの全画素の表示輝度値を計測し、その平均値をもとに、対応する表示装置に設けられた前記電子放出素子の平均カットオフ電圧に従う駆動電圧を設定す表示装置の製造方法が提供される。  
また前記表示装置の製造方法に於いて、前記処理手段は、前記表示パネルの一部領域の画素の表示輝度値を計測し、その平均値をもとに、対応する表示装置に設けられた前記電子放出素子の平均カットオフ電圧に従う駆動電圧を設定する表示装置の製造方法が提供される。  
また前記表示装置の製造方法に於いて、前記処理手段は、前記駆動電圧を検査者が目視検査により調整若しくは設定できる設定操作手段を具備する表示装置の製造方法が提供される。
【０００９】
また本発明によれば、複数の蛍光体層と前記複数の蛍光体層に対応した複数の電子放出素子とにより形成される複数の表示画素をマトリクス状に配置した表示パネルと、前記表示パネルに配置された複数の表示画素を走査線と信号線の駆動電圧により駆動する駆動手段と具備する表示装置の製造装置に於いて、前記表示装置に設けられた表示パネルの表示輝度特性の個体差を減少させるように、前記表示装置毎に、前記駆動手段が出力する前記走査線の駆動電圧を設定する設定手段を具備した表示装置の製造装置が提供される。  
また前記表示装置の製造装置に於いて、前記設定手段は、前記表示装置毎に前記表示パネルの輝度特性を計測し、当該計測値をもとに対応する表示装置の前記走査線に出力する駆動電圧を設定する処理手段を具備する表示装置の製造装置が提供される。  
また前記表示装置の製造装置に於いて、前記処理手段は、前記信号線に出力する駆動電圧がゼロ電位若しくは所定の低電位状態下に於いて前記表示パネルの輝度特性を計測する手段を具備する表示装置の製造装置が提供される。  
また前記表示装置の製造装置に於いて、前記処理手段は、前記表示パネルの全画素の表示輝度値を計測し、その平均値をもとに、対応する表示装置に設けられた前記電子放出素子の平均カットオフ電圧に従う駆動電圧を設定する手段を具備する表示装置の製造装置が提供される。  
また前記表示装置の製造装置に於いて、前記処理手段は、前記表示パネルの一部領域の画素の表示輝度値を計測し、その平均値をもとに、対応する表示装置に設けられた前記電子放出素子の平均カットオフ電圧に従う駆動電圧を設定する手段を具備する表示装置の製造装置が提供される。
【００１０】
また本発明によれば、複数の蛍光体層と前記複数の蛍光体層に対応した複数の電子放出素子とにより形成される複数の表示画素をマトリクス状に配置した表示パネルと、前記表示パネルに配置された複数の表示画素を走査線と信号線の駆動電圧により駆動する駆動手段と、前記表示パネルの輝度特性に従う設定情報を有し、当該設定情報をもとに前記駆動手段が前記走査線に出力する駆動電圧を制御するパネル管理手段とを具備した平面表示装置が提供される。  
また前記平面表示装置に於いて、前記パネル管理手段は、前記設定情報をもとに、前記信号線に出力される駆動信号が所定の階調表示状態にあるとき前記表示パネルの表示輝度が予め定めた輝度値になるように前記走査線に出力される駆動電圧を制御し、前記駆動手段は前記駆動電圧をもとに前記走査線を線順次で走査する平面表示装置が提供される。  
また前記平面表示装置に於いて、前記パネル管理手段は、前記設定情報をもとに、前記信号線がゼロ電位にあるとき前記表示パネルの表示輝度が一定の黒レベルになるように前記走査線に出力する駆動電圧を制御する平面表示装置が提供される。  
また前記平面表示装置に於いて、前記パネル管理手段は、前記表示パネルを所定電位の前記駆動信号で駆動したときの前記表示パネルの表示輝度に従う前記表示パネルに固有のパネル固体情報を前記設定情報として保持する保持手段を有して、当該保持手段に保持した設定情報をもとに前記駆動部が前記走査線に出力する駆動電圧を制御する平面表示装置が提供される。  
また前記平面表示装置に於いて、前記設定情報は、外部の装置により計測された、前記表示パネルを所定の前記駆動信号で駆動したときの前記表示パネルの全画素の表示輝度値をもとに生成した前記電子放出素子の平均カットオフ電圧に従う前記表示パネルの個体情報である平面表示装置が提供される。  
また前記平面表示装置に於いて、前記設定情報は、外部の装置により計測された、前記表示パネルを所定電位の前記駆動信号で駆動したときの前記表示パネルの一部表示領域の画素の表示輝度値をもとに生成した前記電子放出素子の平均カットオフ電圧に従う前記表示パネルの個体情報である平面表示装置が提供される。
【発明の効果】
【００１１】
表示輝度特性に関して個体差の少ない安定した品質の表示装置を製品出荷できる。
【発明を実施するための最良の形態】
【００１２】
以下図面を参照して本発明の実施形態を説明する。ここでは、ここではカラー表示画素数が横：縦＝１２８０：７２０というＸＧＡ解像度の電子放出素子を備えたＳＥＤを例に採る。
【００１３】
図１は本発明の実施形態に係る平面表示装置の回路構成を概略的に示す。平面表示装置は、表示パネル１、画像電圧ドライバ（Ｘドライバ）２、走査電圧ドライバ（Ｙドライバ）３、入力信号処理回路５、電源制御部６等を備える。
【００１４】
表示パネル１は、横（水平）方向に配されたｍ（＝７２０）本の走査線Ｙ（Ｙ１〜Ｙｍ）と、これら走査線Ｙ１〜Ｙｍに交差して縦（垂直）方向に配されたｎ（＝１２８０×３）本の信号線Ｘ（Ｘ１〜Ｘｎ）と、これら走査線Ｙ１〜Ｙｍおよび信号線Ｘ１〜Ｘｎの交差位置近傍に配置されて表示画面を構成するｍ×ｎ（＝約２７６万）個の表示画素ＰＸとを支持基板上に有する。
【００１５】
各カラー表示画素は水平方向において隣接する３個の表示画素ＰＸにより構成される。このカラー表示画素では、３個の表示画素ＰＸがそれぞれ電子放出源となる電子放出素子１１およびこれら電子放出素子１１から放出される電子ビームにより発光する赤（Ｒ）、緑（Ｇ）、および青（Ｂ）の蛍光体１２により構成される。すなわち蛍光体スクリーンの各表示画素と電子放出源とは一対一に対応している。各走査線Ｙは対応行の表示画素ＰＸの電子放出素子１１に接続される走査電極として用いられ、各信号線Ｘは対応列の表示画素ＰＸの電子放出素子１１に接続される信号電極として用いられる。
【００１６】
Ｘドライバ２、Ｙドライバ３、入力信号処理回路５、および電源制御部６はそれぞれ表示パネル１に対する表示用駆動回路として用いられ、表示パネル１の周囲に配置される。Ｘドライバ２は信号線Ｘ１〜Ｘｎに接続され、Ｙドライバ３は走査線Ｙ１〜Ｙｍに接続される。
【００１７】
入力信号処理回路５は１水平ライン分の映像信号を一時記憶するラインメモリを有して外部の信号源から供給されるＲＧＢ映像信号および同期信号の入力処理を行う。入力信号処理回路５は上記ラインメモリに一時記憶した映像信号をＸドライバ２に供給し、同期信号（垂直同期信号および水平同期信号）に従う動作タイミング信号をＸドライバ２とＹドライバ３に供給する。
【００１８】
電源制御部６は外部電源をもとに表示パネル１を含む表示装置全体の動作用電源を生成し供給制御するもので、マイクロプロセッサによるプログラム制御機能を有する。電源制御部６は表示パネル１の駆動用電源として、表示パネル１に、上述したアノード電圧に加え、Ｘドライバ２およびＹドライバ３に駆動電圧（ＶＤｘ，ＶＤｙ）を供給する。Ｘドライバ２には信号線Ｘ１〜Ｘｎを駆動するための信号用の駆動電圧（ＶＤｘ）を供給し、Ｙドライバ３には走査線Ｙ１〜Ｙｍを駆動するための走査用の駆動電圧（ＶＤｙ）を供給する。
【００１９】
Ｙドライバ３は上記電源制御部６から供給された走査用の駆動電圧（ＶＤｙ）と上記入力信号処理回路５から入力した動作タイミング信号とをもとに走査線Ｙ１〜Ｙｍを順次駆動し、Ｘドライバ２は上記電源制御部６から供給された信号用の駆動電圧（ＶＤｘ）と上記入力信号処理回路５から入力した１水平ライン分の映像信号および動作タイミング信号とをもとに、走査線Ｙ１〜Ｙｍの各々がＹドライバ３によって駆動される間に入力信号処理回路５から出力される１水平ライン分の映像信号に対応して信号線Ｘ１〜Ｘｎを駆動する。尚、上記Ｘドライバ２は、映像信号に従い電位が変化する信号を駆動電圧（ＶＤｘ）として出力する構成と、映像信号の階調に従うパルス幅の駆動電圧（ＶＤｘ）を出力する構成とがあるが、本発明はそのいずれの構成に於いても適用可能である。
【００２０】
さらに上記電源制御部６は、後述する個体データ設定処理装置２０により設定されるパネル個体データを保持する電源制御レジスタ（ＲＥＧ）６ａを有し、この電源制御レジスタ６ａに保持したパネル個体データの値（設定値）にもとづいて上記Ｙドライバ３に供給する走査用駆動電圧（ＶＤｙ）を決め、当該設定に従う走査用の駆動電圧（ＶＤｙ）をＹドライバ３に出力する。この走査用駆動電圧（ＶＤｙ）の設定ならびに上記パネル個体データについては後述する。なお、上記電源制御部６には、上記電源制御レジスタ（ＲＥＧ）６ａに設定された値（設定値）を検査者が目視感度測定により任意に調整（修正）できる調整手段（設定操作手段）を設けることも可能である。この際は、上記調整手段を用いて検査者が目視検査により走査用駆動電圧（ＶＤｙ）の値を直接設定することも可能である。
【００２１】
個体データ設定処理装置２０は表示パネル１の表示輝度特性の個体差調整においてのみ用いられるもので、図３に示すような処理手順により所定の駆動信号状態下で表示パネル１の表示輝度を計測し、表示パネル１の表示輝度特性を示すパネル個体データを電源制御部６の電源制御レジスタ６ａに設定する。
【００２２】
個体データ設定処理装置２０は、表示パネル１の表示輝度特性の個体差調整時に於いて、表示パネル１を所定の駆動信号（例えば低輝度の設定配線電圧）により駆動して、当該駆動時に於ける表示パネル１の例えば全画素の表示輝度値を計測し採取する（ステップＳ１１）。そして採取した全画素の表示輝度値の平均値を算出する（ステップＳ１２）。この値をパネル個体データとして一時保持し（ステップＳ１３）、保持したパネル個体データを上記電源制御部６に設けられた電源制御レジスタ６ａに設定する（ステップＳ１４）。
【００２３】
このようにして電源制御レジスタ６ａに設定されたパネル個体データは、処理結果の値として、表示パネル１に設けられた電子放出素子１１の平均カットオフ電圧の値に相当する。
【００２４】
電源制御部６は、上記電源制御レジスタ６ａに設定されたパネル個体データをもとに、上記Ｙドライバ３に供給する走査用の駆動電圧（ＶＤｙ）を調整する。この際の表示パネル１の表示輝度の個体差と、その個体差を減少させる上記駆動電圧（ＶＤｙ）の調整例を図２に示している。ここでは上述したような表示パネル１の製造プロセスで生起し得る電子放出素子１１の素子特性のばらつきに伴う、期待する電子放出素子１１のカットオフ電圧に対して、カットオフ電圧の低い電子放出素子１１が配列された表示パネル（以下カットオフ電圧の低いパネルと称す）Ａと、カットオフ電圧の高い電子放出素子１１が配列された表示パネル（以下カットオフ電圧の高いパネルと称す）Ｃと、カットオフ電圧が期待値にある電子放出素子１１が配列された表示パネル（以下標準パネルと称す）Ｂとの各Ｖ−Ｉ特性を示している。
【００２５】
ここで、カットオフ電圧の低いパネルＡとカットオフ電圧の高いパネルＣをそれぞれ標準パネルＢの輝度特性に近似させることにより、製品として、表示輝度特性の個体差を減少させた、安定した品質の表示装置を提供することができる。
【００２６】
そこで本発明の実施形態に於いては、電源制御部６からＹドライバ３に供給される走査用の駆動電圧（ＶＤｙ）を一定の電圧値に固定せず、表示装置毎に、パネル駆動に適正な駆動電圧（ＶＤｙ）を設定して、パネルＡおよびパネルＢの輝度特性をパネルＢの輝度特性により近づけている。この設定は、上記したように、個体データ設定処理装置２０により、表示パネル１を駆動して、当該パネルの表示輝度特性を測定し、その測定結果の値に従うパネル個体データを電源制御部６の電源制御レジスタ６ａに設定することにより実現している。このパネル単体毎の個別設定により、カットオフ電圧の低いパネルＡに対しては、標準パネルＢのカットオフ電圧（パネルＢの電子放出素子１１のカットオフ電圧の平均値）Ｖｂより低い、パネルＡのカットオフ電圧（パネルＡの電子放出素子１１のカットオフ電圧の平均値）Ｖａに相当する電位の駆動電圧（ＶＤｙ）がＹドライバ３に供給され、当該駆動電圧（ＶＤｙ）により走査線Ｙ１〜Ｙｍが駆動される。これによりパネルＡの輝度特性はパネルＢの輝度特性により近づき、例えばＸドライバ２の出力がゼロ電位（ゼロ階調）であるとき、カットオフ電圧の低いパネルＡは、標準パネルＢとほぼ同様の輝度特性で駆動し、上記各パネルは一定の黒レベルの表示輝度状態となる。Ｘドライバ２の出力がゼロ電位でないときも上記各パネルは一定レベルの表示輝度状態となる。またカットオフ電圧の高いパネルＣに対しては、標準パネルＢのカットオフ電圧Ｖｂより高い、パネルＡのカットオフ電圧（パネルＣの電子放出素子１１のカットオフ電圧の平均値）Ｖｃに相当する電位の駆動電圧（ＶＤｙ）がＹドライバ３に供給され、当該駆動電圧（ＶＤｙ）により走査線Ｙ１〜Ｙｍが駆動される。これによりパネルＣの輝度特性はパネルＢの輝度特性により近づき、例えばＸドライバ２の出力がゼロ電位であるとき、カットオフ電圧の低いパネルＣは、標準パネルＢとほぼ同様の輝度特性で駆動し、上記各パネルは一定の黒レベルの表示輝度状態となる。従って表示輝度特性にばらつきの生じた表示パネルＡ，Ｃに対して、そのばらつきを標準パネルの表示輝度特性に収束させることができ、これにより表示輝度特性に関して個体差の少ない安定した品質の表示装置を製品出荷できる。
【００２７】
なお、上記した実施形態では、表示パネル１の全画素の表示輝度値を計測し、その平均値をもとに、対応する表示装置に設けられた電子放出素子１１の平均カットオフ電圧に従う駆動電圧を設定しているが、予め定めた特定領域の画素の表示輝度値を計測し、その平均値をもとに、対応する表示装置に設けられた電子放出素子１１の平均カットオフ電圧に従う駆動電圧を設定する構成であってもよく、あるいは上記いずれかの平均値をもとに検査者が目視感度により修正した値をもとにＹドライバ３の駆動電圧を設定する構成、さらには検査者の目視感度により上記駆動電圧を設定する構成であってもよい。
【００２８】
また上述した実施形態では、ＳＥＤを対象に表示輝度の改善を行っているが、ＳＥＤに限らず、例えばＦＥＤ等の画像表示装置に於いても本発明を適用可能である。また本発明は上述した実施の形態そのままに限定されるものではなく、実施段階ではその要旨を逸脱しない範囲で構成要素を変形して具体化できる。例えば上記した実施形態に於いては、個々の表示パネル１について当該パネルの表示輝度特性を測定し、その測定結果の値に従うパネル個体データを電源制御部６の電源制御レジスタ６ａに設定しているが、例えばパネル毎に測定を行わず、同一条件下で製造した各表示パネルについて同一の走査用駆動電圧（ＶＤｙ）を設定するようにしてもよい。またこの際の設定は、外部の個体データ設定処理装置２０の設定ではなく、例えばプログラム制御機能をもつ電源制御部６の外部インタフェースとソフトウェア制御で実現してもよい。
【図面の簡単な説明】
【００２９】
【図１】本発明の実施形態に係る平面表示装置の概要説明図。
【図２】上記実施形態に於ける表示パネルの輝度特性を示す図。
【図３】上記実施形態に於ける個体データ設定処理装置の処理手順を示すフローチャート。
【符号の説明】
【００３０】
１…表示パネル、２…Ｘドライバ、３…Ｙドライバ、５…入力信号処理回路、６…電源制御部、６ａ…電源制御レジスタ、１１…表面伝導型電子放出素子、１２…蛍光体、１２Ａ…蛍光体スクリーン、２０…個体データ設定処理装置、１０Ａ…前面基板、１０Ｂ…背面基板、Ｘ…信号線、Ｙ…走査線、ＰＸ…表示画素。
【図１】
2006084566.tif 000003
【図２】
2006084566.tif 000004
【図３】
2006084566.tif 000005